(57)【要約】      （修正有）【課題】ＬＥＤの数を増やさずに輝度が均一な照明を得ることができるＬＥＤ灯具を提供する。【解決手段】回路基板３はベース２の内部に取り付けられ、複数の発光ダイオード４１は回路基板３に電気的に接続されており所定の間隔をおいて環状に設けられている。導光カバー５は透光性のある材料からなり、発光ダイオードを覆って発光ダイオードからの光が入射するように発光ダイオードに対応して環状に形成されており、ベース２側に向かって開放した下端部５１と、下端部５１から回路基板３と逆向きに直立して延伸された上端部５２とを持つ。また、反射層６が発光ダイオードからの光を反射するように導光カバー５の内周面に当接して設けられている。【選択図】図１
0003184561.tif 000002
【実用新案登録請求の範囲】
【請求項１】
収容空間を画成したベースと、
前記ベースの内部に取り付けられた駆動回路を有する回路基板と、
前記回路基板に電気的に接続されており所定の間隔をおいて環状に設けられた複数の発光ダイオードを有する発光モジュールと、
透光性のある材料からなるものであって、前記発光ダイオードを覆って前記発光ダイオードからの光が入射するように前記発光ダイオードに対応して環状に形成されていると共に前記ベース側に向かって開放した下端部と、前記下端部から前記回路基板と逆向きに直立して延伸された上端部とを有する導光カバーと、
前記発光ダイオードからの光を反射するように前記導光カバーの内周面に当接して設けられた反射層と
を備えていることを特徴とする発光ダイオード灯具。
【請求項２】
前記上端部は閉鎖状になっていることを特徴とする請求項１に記載の発光ダイオード灯具。
【請求項３】
前記上端部は、湾曲面状に形成され、
前記下端部は、前記ベースに当接して設けられたことを特徴とする請求項２に記載の発光ダイオード灯具。
【請求項４】
前記導光カバーは、前記下端部から前記上端部に向かって小径であるドーム状に形成されたことを特徴とする請求項３に記載の発光ダイオード灯具。
【請求項５】
前記下端部には、外方に向かって窪んで肩部が形成され、
前記反射層の底部は、前記肩部と当接しておらず、該底部と前記下端部とによりスロットが形成されていることを特徴とする請求項２に記載の発光ダイオード灯具。
【請求項６】
前記導光カバーは、その前記下端部が前記回路基板と離れて前記発光ダイオードに乗っかるように設けられ、
前記ベースと前記導光カバーと前記反射層とによりスロットが形成されていることを特徴とする請求項２に記載の発光ダイオード灯具。
【請求項７】
前記発光ダイオードは、前記スロットに収容されて配置されることを特徴とする請求項５又は６に記載の発光ダイオード灯具。
【請求項８】
前記上端部は、開放状に形成され、
前記反射層は、前記導光カバーの内周面と当接して前記内周面に沿って直立して延伸されている反射部と、前記反射部の上端周縁から略直角に折れ曲がるように外方に突き出て前記上端部を乗り越えて延伸されている環状のフランジ部とを有することを特徴とする請求項１に記載の発光ダイオード灯具。
【請求項９】
前記導光カバーは、前記下端部から前記上端部に向かって径大に形成され、
前記下端部は、前記ベースに当接して設けられたことを特徴とする請求項８に記載の発光ダイオード灯具。
【請求項１０】
前記導光カバーは、切頭円錐形状に形成されていることを特徴とする請求項９に記載の発光ダイオード灯具。
【請求項１１】
前記下端部の下面には、複数の凹部が互いに所定の間隔をおいて形成されていることを特徴とする請求項８に記載の発光ダイオード灯具。
【請求項１２】
前記発光ダイオードは、前記凹部に収容されて配置されることを特徴とする請求項１１に記載の発光ダイオード灯具。
【請求項１３】
前記反射層は、プラスチック材料からなる白いものであることを特徴とする請求項１〜１２のいずれかの一項に記載の発光ダイオード灯具。
【請求項１４】
前記導光カバーは、着色されたものであることを特徴とする請求項１〜１２のいずれかの一項に記載の発光ダイオード灯具。
【考案の詳細な説明】
【技術分野】
【０００１】
本考案は、発光ダイオード（ＬＥＤ）灯具に関する。
【背景技術】
【０００２】
近年、ＬＥＤは、旧来の白熱ランプ、ハロゲンランプなどと比較して小型、長寿命、低消費電力、高速応答等の優れた特徴を有するので、表示用光源を初めとして一般照明用光源、自動車用ヘッドライトなどの照明用光源として実用化されつつある。ＬＥＤは点光源であるため、従来照明用光源として使用する場合、１個当たりの光束が弱いので、一つのパッケージ内にＬＥＤ素子を複数個搭載して大光量を確保している。また、点光源であるＬＥＤは輝度が高く、人に不快感を及ぼすので、光源の拡散を可能にする設計が求められる。この種の従来例として、例えば特許文献１に示されるものがある。このものは、収容空間を有するベースと、ベースの内部に配置された複数のＬＥＤと、複数のＬＥＤ間に配置された少なくとも一つ以上の屈折層と、屈折層の両側辺に対向配置された反射層と、ベースの収容空間の周縁にＬＥＤの光線を透過する透光層とを有する。
【先行技術文献】
【特許文献】
【０００３】
【特許文献１】台湾登録実用新案第Ｍ３７９７０７号明細書
【考案の概要】
【考案が解決しようとする課題】
【０００４】
従来のＬＥＤ灯具では、屈折層によってＬＥＤからの光線を屈折させて外部に投射し、反射層によってＬＥＤからの光線を屈折層が光線を屈折させる方向と同一の方向に反射させることにより灯具の照明範囲を長矩形状に拡大すると共に、灯具の照明輝度を高めることができる。しかし、ＬＥＤの光束は小さく、照明としての照射角度も限られてしまうため、ＬＥＤの配置箇所によって均一に照明することができず輝度むらが生じてしまう問題点がある。また、反射層によってＬＥＤからの光線を屈折層が光を屈折させる方向と同一の方向に反射することによって該方向の出射光の光量を増やすことができるが、灯具からの光を均一に照射して広げることができない問題点もある。このような問題点は、ＬＥＤの設置数を多くすることによって解消することができるが、ＬＥＤの設置数を増やすと、装置コストが掛かる上、電力消費量も多くなり、発熱量も増大するという別の問題点が惹起される。
【０００５】
本考案は、上記問題点を解消するべくなされたものであり、ＬＥＤの数を増やさずに輝度が均一な照明を図ることができるＬＥＤ灯具を提供することを目的とする。
【課題を解決するための手段】
【０００６】
上記目的を達成するために、本考案に係るＬＥＤ灯具は、収容空間を画成したベースと、前記ベースの内部に取り付けられた駆動回路を有する回路基板と、前記回路基板に電気的に接続されており所定の間隔をおいて環状に設けられた複数の発光ダイオードを有する発光モジュールと、透光性のある材料からなるものであって、前記発光ダイオードを覆って前記発光ダイオードからの光が入射するように前記発光ダイオードに対応して環状に形成されていると共に前記ベース側に向かって開放した下端部と、前記下端部から前記回路基板と逆向きに直立して延伸された上端部とを有する導光カバーと、前記発光ダイオードからの光を反射するように前記導光カバーの内周面に当接して設けられた反射層とを備えていることを特徴とする。
【考案の効果】
【０００７】
本考案によれば、複数のＬＥＤからの光が導光カバーの下側より導光カバーを透き通すと共に、導光カバーの内周面に当接して設けられた反射層によって散乱して反射されるので、広範囲の広がりのある照明光を得ることができる。従って、ＬＥＤを増やすことなく一面に均一に照らす発光を得ることができ、ＬＥＤによる発熱も最小限に抑えることができる。
【図面の簡単な説明】
【０００８】
【図１】本考案の実施例１によるＬＥＤ灯具の構成を概略して示す縦断面図である。
【図２】導光カバーと反射層とを示す分解縦断面図である。
【図３】導光カバーと反射層とを組み立てて示す組立縦断面図である。
【図４】図３の底面図である。
【図５】ＬＥＤが配置された回路基板を示す平面図である。
【図６】実施例１に係るＬＥＤ灯具の変形例を概略して示す縦断面図である。
【図７】実施例１に係るＬＥＤ灯具の変形例を概略して示す縦断面図である。
【図８】実施例１に係るＬＥＤ灯具の変形例においてベースと導光カバーと反射層とを分解して示す分解縦断面図である。
【図９】図８のベースと導光カバーと反射層との組立縦断面図である。
【図１０】本考案の実施例２によるＬＥＤ灯具の構成を概略して示す縦断面図である。
【図１１】実施例２における反射層と導光カバーとを示す分解縦断面図である。
【図１２】図１１の導光カバーと反射層とが組み立てられた状態を示す底面図である。
【考案を実施するための形態】
【０００９】
この考案の上述の目的、その他の目的、特徴および利点は、図面を参照して行う以下の考案を実施するための形態の説明から一層明らかとなろう。
【００１０】
（実施例１）
図１は、本考案の実施例１によるＬＥＤ灯具の構成を示している。図１に示されているように、ＬＥＤ灯具は、ベース２と、回路基板３と、発光モジュール４と、導光カバー５と、反射層６とを備えている。
【００１１】
ベース２は、収容空間を画成した中空状の枠体であり、ベース２の下側に口金が着脱可能に設けられている。この例では、ベース２の内周面には環状に窪んで形成された周溝が設けられている。回路基板３は、予めＬＥＤの駆動回路が形成されており、ベース２の内部に配置されている。
【００１２】
発光モジュール４は、回路基板３に電気的に接続されている複数のＬＥＤ４１を有し、ＬＥＤ４１は、図１と図５に示されているように、互いに所定の間隔をおいて例えば環状に設けられている。
【００１３】
導光カバー５は、透光性があり色を付けた着色材料からなっているものでも良いが、この例では透光性のある無色なものである。導光カバー５は、ＬＥＤ４１に応じて発光モジュール４の発光が向けられると共に、ＬＥＤ４１を覆うようにベース２に固定して設けられている。この例では、導光カバー５は、図１に示されているように、ベース２の内部に嵌合されている下端部５１と下端部５１から上向きに直立して形成された上端部５２とからなっている。
【００１４】
この例では、導光カバー５は、下端部５１が開放した中空筐体であり、下端部５１の外側面にベース２の周溝と嵌合する環状のつばが形成されていると共に、その内側面に環状の肩部が窪んで形成されている。なお、導光カバー５は、少なくとも上端部５２が湾曲面状に形成されたものであることが好ましく、例えば下端部５１が開放すると共に上端部５２が閉鎖した砲弾型になったものや、下端部５１から上端部５２に向かって小径になる、図６の逆椀状や図７の奥行きのあるドーム状のものであってもよい。
【００１５】
反射層６は、ＬＥＤ４１の発光を反射するように、導光カバー５の内周面に貼り付けられて設けられている。この例では、図１、３、４に示されているように、反射層６の底部は導光カバー５の環状肩部と当接せずに、導光カバー５とによりＬＥＤ４１を収容するスロット７が形成されている。
【００１６】
スロット７は、ＬＥＤ４１を収容するように、図１、２、３に示されているように、導光カバー５に形成された環状肩部と反射層６とにより形成されているが、図６〜９に示されているように、導光カバー５が回路基板３と離れてＬＥＤ４１の上に乗っかるようにベース２と導光カバー５と反射層６とにより形成されていてもよい。
【００１７】
また、導光カバー５及びベース２は、それら同士の密封性を高めるために、下端部５１に形成されたつばとベース２に形成された周溝とが嵌合して結合されているが、図６、７、９に示されているように、その下端部５１がベース２の内径よりもやや大きめな外径を有するように構成された導光カバー５を、ベース２の内部に挿入することで、下端部５１がベース２を押し広げ気味になるよう両者を緊密嵌合してもよい。
【００１８】
なお、この例では、反射層６はプラスチック材料からなる白いものであるが、光を反射するものであれば、これに限られず、他の材料や他の色からなるものであってもよい。
【００１９】
以上によって構成されたＬＥＤ灯具では、ＬＥＤ４１からの光が透光性のある導光カバー５の下端部５１から入射され、導光カバー５を透き通しながら出射されると共に、導光カバー５の内周面に貼り付けられた反射層６によって反射されながら散乱して出射される。つまり、ＬＥＤ４１からの光は下端部５１から上端部５２側に広がりながら射出されることができる。これによって、点光源であるＬＥＤ４１からの発光を一面に広げて均一に放射する発光に変えることができる。従って、均一に照明することができ、一部に集中して照らすことで不快感を与えることも解消することができるＬＥＤ灯具を得ることができる。
【００２０】
また、本考案に係るＬＥＤ灯具によれば、輝度むらなく均一に照明することができるので、ＬＥＤの数を増やさずに済み、灯具の発熱も増大せずに済む。これによって、ＬＥＤ灯具の放熱を図る装置も大型化せずに済む。
【００２１】
本考案に係るＬＥＤ灯具は、導光カバーやケース自体のサイズや色に拘束されることなくフットライト、間接照明などとして白熱電球、蛍光灯と同様に応用することができる。
【００２２】
（実施例２）
図１０は、本考案の実施例２によるＬＥＤ灯具の構成を示している。なお、その構成は基本的に図１のＬＥＤ灯具と同様であるので、ここでは重複する部分の説明を省略する。
【００２３】
この例では、導光カバー５は下端部５１と上端部５２とが開放し、下端部５１から上端部５２側に径大になった中空状の筒状体であり、下端部５１の下端面にはＬＥＤ４１を定位して収容するための複数の凹部５１１が互いに所定の間隔をおいて形成されている。
【００２４】
反射層６は、回路基板３に対向して配置されている底部６３と、導光カバー５の内周面に沿って延伸されるように該内周面と当接すると共に底部６３の周縁から直立して延伸されて形成された反射部６１と、反射部６１の上端周縁から略直角に折れ曲がるように外方に突き出て前記上端部を乗り越えて延伸されている環状のフランジ部６２とを有する。この例では、反射層６は、底部６３からフランジ部６２側に径大になった有底筒状体である。なお、この例では、ＬＥＤ灯具における口金部と回路基板３と反射層６との間は釘やボルトなどの固定部材で連結されており、反射層６の底部６３はその底面より上方に向かって窪んで連結穴が設けられている。
【００２５】
導光カバー５は、前記実施例と同様に無色で透明なものであるが、ＬＥＤ４１からの光を導光カバー５を透過して色を付けた照明を得るために彩色材料からなってもよい。
【００２６】
反射層６は、前記実施例と同様にプラスチック材料によってなった白いものであるが、光を反射するものであれば、これに限られず、他の材料や他の色であってもよい。
【００２７】
以上によって構成されたＬＥＤ灯具では、ＬＥＤ４１からの光が透光性のある導光カバー５の下端部５１から入射され、導光カバー５を透き通しながら出射されると共に、導光カバー５の内周面に貼り付けられた反射層６によって反射されながら散乱して出射される。つまりＬＥＤ４１からの光は下端部５１から上端部５２側に広がりながら射出されることができる。また、導光カバー５に入射した光がフランジ部６２に当たって反射されるので、点光源であるＬＥＤ４１からの発光をより一層広げ均一に放射させることができる。従って、均一に照明することができ、一部に集中して照らすことで不快感を与えることも解消することができるＬＥＤ灯具をも得ることができる。
【００２８】
以上により、本考案に係るＬＥＤ灯具は、複数のＬＥＤ４１からの光が下端部５１の下端面より導光カバー５を透き通すと共に、下側から上側に向かうほど径大になる反射層６によって散乱して反射されるので、大範囲の広がりのある照明光を得ることができる。従って、ＬＥＤ４１を増やすことなく一面に均一に照らす発光を得ることができ、ＬＥＤ４１による発熱も最小限に抑えることができる。
【００２９】
上述のごとく、図面を参照してこの考案のいくつかの実施例を説明したが、本考案は、図示した実施例に限定されるものではない。本考案と同一の範囲内において、または均等の範囲内において、図示した実施形態に対して種々の変更を加えることが可能である。
【産業上の利用可能性】
【００３０】
本考案に係るＬＥＤ灯具は、実装するＬＥＤの少数化や実装工数の削減、製造コストの低減が図られ、一面状に均一に照らすＬＥＤ灯具に有用である。
【符号の説明】
【００３１】
２    ベース
３    回路基板
４    発光モジュール
４１    ＬＥＤ
５    導光カバー
５１    下端部
５１１    凹部
５２    上端部
６    反射層
６１    反射部
６２    フランジ部
６３    底部
７    スロット
【図１】
0003184561.tif 000003
【図２】
0003184561.tif 000004
【図３】
0003184561.tif 000005
【図４】
0003184561.tif 000006
【図５】
0003184561.tif 000007
【図６】
0003184561.tif 000008
【図７】
0003184561.tif 000009
【図８】
0003184561.tif 000010
【図９】
0003184561.tif 000011
【図１０】
0003184561.tif 000012
【図１１】
0003184561.tif 000013
【図１２】
0003184561.tif 000014